(57)【要約】【課題】同一品種の複数の受注間で製品の融通を可能とし、必要に応じて出荷前に受注数量と一致させるための分割処理を施すことにより、受注数量を超える余分な出荷を防止することを可能とする出荷管理システムを提供する。【解決手段】長尺フィルムを巻き取ったロールを収納する製品倉庫を管理するストッカ管理システムと連動して、長尺フィルムを出荷する出荷管理システムであって、  フィルムの受注情報を示す受注情報データベースと、工程情報を示す工程パターンデータと、生産実績データベースと、良品率データベースと、出荷情報データベースと、受注数量に対して生産された製品数量が足りない場合に、複数の受注間でしかも同一品種のロール間で製品数量を融通して受注数量を満たすプログラムを有する演算手段と、ロールを分割する場合に用いる分割装置と、を備えたことを特徴とする出荷管理システム。【選択図】図９
2013050870.tif 000002
【特許請求の範囲】
【請求項１】
長尺フィルムを巻き取ったロールを収納する製品倉庫を管理するストッカ管理システムと連動して、長尺フィルムを出荷する出荷管理システムであって、
フィルムの受注情報を示す受注情報データベースと、
前記受注情報データベースに含まれる、受注されたフィルムが生産される工程情報を示す工程パターンデータベースと、
フィルムの生産進捗状況を工程パターンに示される工程情報によって管理する生産実績データベースと、
生産実績に応じてフィルムの品種単位で良品率を更新した良品率情報を管理する良品率データベースと、
生産実績情報データベースと良品率データベースから得られる出荷情報データベースと
前記受注情報データベースと出荷情報データベースに基づいて、受注数量に対して生産された製品数量が足りない場合に、前記受注情報データベースと出荷情報データベースに基づいて、複数の受注間でしかも同一品種のロール間で製品数量を融通して受注数量を満たすプログラムを有する演算手段と、
受注数量を満たすためにロールを分割する場合に用いる分割装置と、を備えたことを特徴とする出荷管理システム。
【請求項２】
前記演算手段は、前記受注情報データベースに基づいて出荷したい受注順に受注情報を並び替え、更に出荷情報データベースに基づいて出荷可能ロールを検索した後、出荷したいロール順に出荷可能ロールを並び替え、前記並び替えた受注に対して前記並び替えた出荷可能ロールを順番に割当てることを特徴とする請求項１に記載の出荷管理システム。
【請求項３】
前記演算手段は、割当てられたロールの総数量長が受注数量長を超えた場合には、割当てられた最後のロールを分割して受注数量を満たすことを特徴とする請求項１または２に記載の出荷管理システム。
【請求項４】
前記演算手段は、割当てられた最後のロールを分割した場合に、分割された残りのロールの数量が他の受注の最低出荷可能ロール長より短い場合は、分割しないことを特徴とする請求項１から３のいずれかに記載の出荷管理システム。
【請求項５】
前記演算手段は、受注数量に対して出荷可能ロールを順番に割当てた合計数量が受注数量を満たせない場合は、出荷不足情報データベースに不足数量を書き込むことを特徴とする請求項１から４のいずれかに記載の出荷管理システム。
【請求項６】
前記演算手段によって割当てられたロールの出庫指示をストッカ管理システムに行い、分割が必要な場合は分割装置に分割指示を行うことを特徴とする請求項１から５のいずれかに記載の出荷管理システム。
【発明の詳細な説明】
【技術分野】
【０００１】
本発明は、ロールに巻かれた状態の長尺フィルムを効率よく出荷するシステムに関するものである。
【背景技術】
【０００２】
例えば上記長尺フィルムを反射防止フィルムを例として説明する。従来より、プラスチックフィルム、紙、金属箔等の柔軟性を有する長尺の基材をロール状に巻き付けた状態から巻き出し、巻取りを行う間に、印刷や塗工、フォトリソプロセス等の各種表面処理を行う技術が一般的に多用されてきた。そこで取り扱う柔軟で長尺の媒体をウェブと称し、ウェブを巻き出し搬送し、前記処理工程を経て最終的に巻き取る技術がウェブハンドリング技術として知られている。
【０００３】
近年は、特に、光学機能性フィルム等の光学フィルムの製造において、前記ウェブハンドリング技術を駆使して、大量で安価な生産を可能としている。また、量産に際しては、光学フィルムの原反材料そのものに付着している異物欠陥や、製造工程中に生じる傷や異物付着といった欠陥が有り、それらの欠陥を検出する検査方法が各種提案されており、欠陥を有する箇所は除去されて品質が管理されている。
【０００４】
図１は上記光学機能性フィルムの一例である液晶ディスプレイ等の表示デバイスの表示画面の最表面に貼られる反射防止フィルムの断面を示す図である。図１に示される反射防止フィルムはフィルム基材１、ハードコート層２、反射防止層３の各層で構成されている。反射防止フィルムは、表示画面をキズから保護したり、防汚、帯電防止、映り込み防止のために、透明フィルムに反射防止材料をコーティングして製造される。
【０００５】
図２に示すように反射防止フィルムの製造工程では、長さ数千メートル、幅１〜２メートルほどのロール状の長尺帯状のフィルム基材に対し、塗工、乾燥といった層形成処理が単数または複数回行われ、光学膜が形成される。
【先行技術文献】
【特許文献】
【０００６】
【特許文献１】特開２００２−３４１１０４号公報
【発明の概要】
【発明が解決しようとする課題】
【０００７】
反射防止フィルムを製造する場合には、従来よりフィルム基材１のロールの長さは決まっているため、受注数量（例えばメートル：ｍ）に応じて投入するロールの数も決定される。しかし、図３に示すように不良が発生した場合には不良部分のフィルムを断裁し、不良部分の除去を行う。この場合は１ロールの長さが短くなってしまうため、受注数量に対して生産数量が足りないといった事態が発生する。
【０００８】
通常は上記事態を鑑みて、「投入数量＝受注数量／想定される良品率」の形で余剰を持たせて投入がされるが、それでも生産数量が足りない場合は、追加ロールの投入や複数の受注で生産を行っていた同一品種のロールを使用するといった処置が行われる。
【０００９】
また、１ロールの最低メートル数（以下、出荷可能ロール長）が決まっている受注もあり、不良部の除去等により１ロールの長さが短くなり出荷不可となった際には、該当ロールを他の受注に使用する場合もある。
【００１０】
受注数量に対してわずかに数量が不足した際に、追加ロールの投入を行った場合には、受注数量を大きく超えてしまい、余分な数量を出荷してしまうことにもなる。これを回避するために、同一品種間で図４に示すように受注Ａとして生産されたロール２とロール３を受注Ｂのロール５とロール６が出荷できない代わりに受注Ａとして生産されたロール２とロール３を出荷Ｂとして出荷し、一方、出荷Ａには上記ロール６を融通し、更にロール７を追加して出荷する場合といった方法を取る場合がある。この場合、ロールの入れ替えは人手での判断であり、どのロールの組み合わせが最適かの判断（最も受注数量に近く無駄が無いかの判断）は担当者の判断によるもので、無駄の多いことがある。
【００１１】
そこで本発明は、反射防止フィルムの生産のように、１つの受注に対して１つの生産を行うという生産形態をとっている場合において、不良発生等の理由で当初の受注数量に対して、製品数量が足りないケースであっても、同一品種の複数の受注間で製品の融通を可能とし、また追加で必要な生産数量を把握することが可能で、更に、必要に応じて出荷前に受注数量と一致させるための分割処理を施すことにより、受注数量を超える余分な出荷を防止することを可能とする出荷管理システムを提供することを目的とする。
【課題を解決するための手段】
【００１２】
そこで本発明の請求項１に係る発明は、長尺フィルムを巻き取ったロールを収納する製品倉庫を管理するストッカ管理システムと連動して、長尺フィルムを出荷する出荷管理システムであって、
フィルムの受注情報を示す受注情報データベースと、
前記受注情報データベースに含まれる、受注されたフィルムが生産される工程情報を示す工程パターンデータと、
フィルムの生産進捗状況を工程パターンに示される工程情報によって管理する生産実績データベースと、
生産実績に応じてフィルムの品種単位で良品率を更新した良品率情報を管理する良品率データベースと、
生産実績情報データベースと良品率データベースから得られる出荷情報データベースと
前記受注情報データベースと出荷情報データベースに基づいて、受注数量に対して生産された製品数量が足りない場合に、前記受注情報データベースと出荷情報データベースに基づいて、複数の受注間でしかも同一品種のロール間で製品数量を融通して受注数量を満たすプログラムを有する演算手段と、
受注数量を満たすためにロールを分割する場合に用いる分割装置と、を備えたことを特徴とする出荷管理システムである。
【００１３】
本発明の請求項２に係る発明は、前記演算手段は、前記受注情報データベースに基づいて出荷したい受注順に受注情報を並び替え、更に出荷情報データベースに基づいて出荷可能ロールを検索した後、出荷したいロール順に出荷可能ロールを並び替え、前記並び替えた受注に対して前記並び替えた出荷可能ロールを順番に割当てることを特徴とする請求項１に記載の出荷管理システムである。
【００１４】
本発明の請求項３に係る発明は、前記演算手段は、割当てられたロールの総数量長が受注数量長を超えた場合には、割当てられた最後のロールを分割して受注数量を満たすことを特徴とする請求項１または２に記載の出荷管理システムである。
【００１５】
本発明の請求項４に係る発明は、前記演算手段は、割当てられた最後のロールを分割した場合に、分割された残りのロールの数量が他の受注の最低出荷可能ロール長より短い場合は、分割しないことを特徴とする請求項１から３のいずれかに記載の出荷管理システムである。
【００１６】
本発明の請求項５に係る発明は、前記演算手段は、受注数量に対して出荷可能ロールを順番に割当てた合計数量が受注数量を満たせない場合は、出荷不足情報データベースに不足数量を書き込むことを特徴とする請求項１から４のいずれかに記載の出荷管理システムである。
【００１７】
本発明の請求項６に係る発明は、前記演算手段によって割当てられたロールの出庫指示をストッカ管理システムに行い、分割が必要な場合は分割装置に分割指示を行うことを特徴とする請求項１から５のいずれかに記載の出荷管理システムである。
【発明の効果】
【００１８】
本発明による出荷管理システムによれば、当初の受注数量に対して、製品数量が足りない場合であっても、複数の受注間でしかも複数の同一の品種間の場合に、最も受注数量に近い最適な出荷ロールの組み合わせが自動で割り振られるため、製品の融通を可能とし、その結果、従来行われていた追加生産による生産の無駄を防ぐことが出来る。また、出荷直前において、最適な出荷ロールの組み合わせを自動で行い、受注数量に合わせたロールの分割処理が行われるため、受注数量を超えた無駄な出荷を削減することが出来る。
【図面の簡単な説明】
【００１９】
【図１】反射防止フィルムの一例を断面で示す図。
【図２】反射防止フィルムの製造工程を示す図。
【図３】製造工程で不良が発生した場合の不良部分の断裁、除去を示す図。
【図４】受注間でロールを融通することを示す図。
【図５】本発明に係る出荷管理システムがストッカ及びストッカ管理システムと連動する様子を説明するための図。
【図６】本発明に係る出荷管理システムの全体データフローを示す図。
【図７】本発明に係る出荷情報更新処理のフローを説明するための図。
【図８】本発明に係る出荷ロール確定処理のフローを示す図。
【図９】本発明に係る出荷可能ロール割当処理のフローを示す図。
【図１０】本発明に係る出庫指示、分割指示のフローを示す図。
【発明を実施するための形態】
【００２０】
以下、図面を参照して本発明に係る出荷管理システムを実施するための形態を説明する。
【００２１】
図５は本発明に係る出荷管理システムがストッカ及びストッカ管理システムと連動する様子を説明するための図である。出荷管理システム、ストッカ管理システム、ストッカ（製品倉庫）は、ネットワークで接続され情報の授受が可能である。ここでいうストッカとは、製品を置くための複数の棚と、製品を棚から棚へ又は棚から製品受取・受渡口へ搬送するクレーンと、から成り立っている。上記出荷管理システム、ストッカ、ストッカ管理システムとの間で授受される情報を説明する。
（１）出荷管理システムから出荷指示をストッカ管理システムに出庫指示を通知する。
出庫指示は、出庫対象ロール番号及び出庫位置の情報を含んでいる。
（２）ストッカ管理システムはストッカ設備（クレーン）へ出庫指示を通知する。
ストッカ管理システムは製品の保管位置を管理している。
（３）ストッカ管理システムから指示を受けたストッカ設備（クレーン）は、指示された位置へ製品を搬送する。
（４）製品の出庫が完了したら、ストッカ設備はストッカ管理システムへその旨通知する（５）ストッカ管理システムは出庫完了実績を出荷管理システムへ通知する。
（６）分割装置への出庫が完了したら、出荷管理システムは指定長でのロール分割指示を
分割装置に通知する。
分割装置はロールに対する処理として以下の機能を持つ。
（イ）指定長でロールを断裁し分割する
（ロ）ストッカとのロールの受取／受渡しを行う
（ハ）分割したロールを製品受取口へ排出する
（７）指定長での分割完了後、出荷対象のロールは製品受取口に排出される。
また、分割完了の報告が出荷管理システムへ通知され、出荷対象外ロールを、ストッカへ再度入庫する指示が出荷管理システムから、分割装置へ出される。
【００２２】
図６は、本発明に係る出荷管理システムの全体データフローを示す図である。図６における各データベース（以下、ＤＢ）は前提条件として、少なくとも以下のデータを管理しているものとする。
【００２３】
受注情報ＤＢは、受注番号単位のデータを管理するもので、受注番号、得意先、品種、受注日時、出荷予定日、出荷可能最低ロール長、工程パターン番号、出荷優先度、出荷残数量のデータを含むものである。尚、上記工程パターン番号とは、後述の工程パターンＤＢ上の工程パターン番号である。出荷優先度とは、初期設定は１とし、優先的に出荷対象としたい場合は、２，３・・・と設定を変更し、優先度を上げていくものである。出荷残数量とは、受注数量と出荷済み数量の差（受注数量―出荷済み数量）であってマイナスは０とする。
【００２４】
工程パターンＤＢは、工程パターン番号、工程順番、工程名称のデータを含むものである。
【００２５】
生産実績ＤＢは、ロール単位のデータを管理するもので、ロール番号、品種、処理工程、処理日時、投入数量、回収数量、不良区分のデータを含むものである。尚、上記ロール番号とは、各ロールに対して付けられたユニークな番号であり、不良区分とは、良品または不良品を区分するものである。
【００２６】
良品率ＤＢは、品種単位のデータを管理するもので、品種、処理工程、良品率のデータを含むもので、上記良品率とは製品投入数に対する良品回収数の割合、即ち、（良品回収数／製品投入数）を示すものである。
【００２７】
出荷情報ＤＢは、ロール単位のデータを管理するもので、ロール番号、品種、最終処理工程、工程順番、最終処理日時、不良区分、仕上予定数量、出荷割当受注番号、出荷済フラグのデータを含むものである。尚、出荷済フラグとは該当ロールが出荷済みの場合は１、未出荷で０とするものである。
【００２８】
出荷不足情報ＤＢは、受注番号単位のデータを管理するもので、受注番号、品種、不足数量を含むものである。
【００２９】
図６における全体データフローを説明する。（ａ）受注が決定したら受注情報が入力され、受注情報ＤＢにデータが書き込まれる。（ｂ）受注情報に適切な工程パターンを登録する。すでに適切な工程パターンが工程パターンＤＢ上に存在していれば、その工程パターン番号を使用し、存在していない場合は新規に作成する。
【００３０】
工程パターンＤＢの一例を表１に示す。表１に示す工程パターンＤＢの場合はＡ０００１の工程パターンは工程順番が１〜４まであり、各工程順番が処理Ａ１、Ａ２、Ａ３及び検査工程となっている。同様にＢ０００１の工程パターンは工程順番が１〜３まであり、各工程順番が処理Ｂ１、Ｂ２及び検査工程となっている。
【表１】
2013050870.tif 000003
【００３１】
（ｃ）生産に応じて、生産実績ＤＢにデータが登録される。オペレータによる手動入力でも、実績収集装置による自動入力でも構わない。実績収集装置とは、製品製造装置と必要な通信を行い、生産実績ＤＢに必要なデータを自動収集するものである。
【００３２】
（ｄ）生産実績に応じて、良品率ＤＢを更新する。各ロールの良品率は、良品率＝回収数量／投入数量で算出され、ＤＢに登録する良品率は、品種毎の特定期間の平均値、中央値等、統計値とする。
【００３３】
（ｅ）生産実績ＤＢと良品率ＤＢの情報から、出荷情報を管理する出荷情報ＤＢを更新する。
【００３４】
（ｆ）受注情報ＤＢから出荷予定ロールを確定すべき受注物件の優先順位を決定し、出荷情報ＤＢから出荷ロールを選定する。また、受注数量に対して選定したロールの合計長が足りない場合は、出荷不足情報ＤＢに登録する。
【００３５】
（ｇ）例えば処理用パソコン１０１によって出荷情報ＤＢを参照することにより、受注毎に出荷用に割当られたロールを把握し、出荷作業を行う。また、出荷不足情報ＤＢを参照することで、品種毎に追加必要な投入数を把握し、追加生産などを行う。
【００３６】
（ｈ）、（ｉ）、（ｊ）製品出荷時に「受注番号」を指示し、出荷ロール確定処理を行い、対象のロールに対して、後で述べる出庫指示及び分割指示を行う。
【００３７】
図７は上記（ｅ）出荷情報の更新処理（出荷情報更新処理）のフローを説明するための図である。「生産実績ＤＢ」１０２に登録されたロール番号と一致するロール番号が「出荷情報ＤＢ」に存在するかを検索する（Ｓ１）。存在する場合は（Ｓ２のＹＥＳ）、該当ロールの最終処理工程と仕上予定数量を更新する（Ｓ３）。この更新処理はロールの処理が刻々進行しているために、「出荷情報ＤＢ」を最新のＤＢとする為である。ここで仕上予定数量＝回収数量×該当品種の最終良品率を示す。一方、存在しない場合は（Ｓ２のＮＯ）、生産実績のロール番号、品種、最終処理工程、仕上予定数量＝回収数量×該当品種の最終良品率の情報を「出荷情報ＤＢに追加する。
【００３８】
図８に上記（ｆ）出荷ロール確定処理のフローを示す。
【００３９】
出荷ロール確定期間指定（ステップ（Ｔ２））
開始後（Ｔ１）、各々の受注に対して、出荷ロールを確定させる期間を指定する（Ｔ２）。例えば、出荷予定日が２０１１年１月１日〜１月７日までの受注物件に対して、出荷ロールを確定させる場合は、期間は２０１１年１月１日〜１月７日と指定する。この指定はオペレータにより行なわれても良いし、又は本日〜１週間後までといった設定が事前にされ、一定周期でこの「出荷ロール確定処理」が自動で実行されても良い。
【００４０】
出荷対象受注情報検索（ステップ（Ｔ３））
ステップ（Ｔ２）で指定した期間内に出荷予定日が含まれている受注情報を受注情報ＤＢから検索する（Ｔ３）。尚この際出荷ロールが確定している受注情報（出荷残数量＝０）は対象から外す。この場合の検索結果例を表２に示す。表２に示される検索結果は、例えば上記のように出荷予定日が２０１１年１月１日〜１月７日までの受注物件に対して、検索結果を示すもので、該当する受注番号がＡ０００１〜Ａ０００６の６個の受注情報が該当するものである。
【００４１】
【表２】
2013050870.tif 000004
【００４２】
出荷割当受注番号クリア（ステップ（Ｔ４））
出荷対象受注情報検索（ステップ（Ｔ３））で検索した受注情報中に含まれる品種と一致するデータで且つ、出荷済みフラグが０（未出荷）となるロールが、「出荷情報ＤＢ」にあった場合、そのロール番号に対する出荷割当受注番号をクリアする（この場合、未出荷のロールは再度出荷対象の受注番号を割当る）（Ｔ４）。
【００４３】
受注情報ソート（ステップ（Ｔ５））
ステップ（Ｔ３）で検索した受注情報を以下の優先順位に従ってソートする（Ｔ５）。
（１）出荷優先度が高いものを優先する。
（２）同一優先度のものでは、出荷予定日が早いものを優先する。
この場合のソート結果例―その１を表３に示す。
【００４４】
【表３】
2013050870.tif 000005
【００４５】
次に、ロールのソート順Ｋを１とし（Ｔ６）、Ｋとロールの総ソート数Ｎを比較しＫ＜Ｎの場合は（（Ｔ７）のＹＥＳ）、出荷ロール割当処理を開始し（Ｔ８）、次の出荷可能ロール検索を行う（Ｔ９）。
【００４６】
出荷可能ロール検索（ステップ（Ｔ９））
ステップ（Ｔ５）でソートした受注情報（表３）の順番に従い、対象受注物件と同一品種のロール（出荷可能ロール）の在庫を出荷情報ＤＢから検索する（Ｔ９）。尚、この際以下の条件に合致するものは対象から外す。
（１）すでに他の受注物件に割当済み（出荷割当受注番号にデータ有り）
（２）すでに出荷済み（出荷済みフラグ＝１）
（３）該当受注物件の出荷可能ロール長より短い（出荷可能ロール長とは取り決められたロールの最小ロール長を指す）。
（４）不良区分が不良品
検索した出荷可能ロール例を表４に示す。表４に示される検索結果例は、表３に示される受注情報をソートした例での１番目にソートされた受注番号Ａ０００３の品種Ｃと同一品種である品種Ｃについて出荷可能ロールを検索した結果を示すものである。
【００４７】
【表４】
2013050870.tif 000006
【００４８】
更に出荷可能ロールを検索した結果を示す上記表４から未だ製品として完成していないロール（即ち、工程順番の最後まで到達していないロール）ＡＢＣ０００７〜０００９を出荷可能ロールから外し、最終的な出荷可能ロールを検索した結果例を表５に示す。
【００４９】
【表５】
2013050870.tif 000007
【００５０】
出荷可能ロールソート（ステップ（Ｔ１０））
ステップ（Ｔ９）で検索した表５に示す出荷可能ロールを以下の優先順位に従ってソートする（Ｔ１０）。
（１）仕上がり予定数量が少ないロールを優先
（２）同一数量の場合は、最終処理日が古い方を優先する（これは、長期保管品の品質面を考慮して、最終処理日が古い方を優先して出荷したいためである）。出荷可能ロールソート例−その１を表６に示す。
【００５１】
【表６】
2013050870.tif 000008
【００５２】
出荷可能ロール割当処理（ステップ（Ｔ１１））
ステップ（Ｔ１０）でソートしたロールの順番に従い、出荷可能ロール割当処理を行う（Ｔ１１）。
【００５３】
後で述べる出荷不足情報があった場合は、出荷不足情報ＤＢに不足数量を記録し（Ｔ１２）、出荷ロール割当処理を終了する（Ｔ１３）。次にソート番号Ｋに１を加えステップ（Ｔ７）に移行する。
【００５４】
ステップ（Ｔ７）で最後のソート番号Ｎまで処理した後（Ｔ７のＮＯ）、直ちに終了する（Ｔ１５）。
【００５５】
ステップ（Ｔ１１）の出荷可能ロール割当処理のフローを図９に示す。出荷可能ロール割当処理は以下に示す受注情報データベースと出荷情報データベースに基づいて、受注数量に対して生産された製品数量が足りない場合に、受注情報データベースと、出荷情報データベースから検索された出荷可能ロール情報に基づいて、複数の受注間でしかも同一品種のロール間で製品数量を融通して受注数量を満たすプログラムを有する演算手段によって行われる。
【００５６】
説明の都合上、表３に示される受注情報ソート例―その１での受注番号Ａ０００３の受注数量５０００ｍ（出荷可能ロール長は１０００ｍ）に割当るロールを、出荷可能ロールソート例―その１の基づいて処理する場合を説明する。
【００５７】
先ず、図９の割当処理開始（この場合、ロールのソート順は１〜Ｎとする（表６ではＮは６））（Ｄ１）。先ずロールのソート順Ｌを１、割当済み数量Ｃを０とする（Ｄ２）。
【００５８】
当初はロールのソート順ＬがＮに達していなので（Ｄ３のＹＥＳ）、次のステップ（Ｄ４）に移行する。
【００５９】
上記図８に示される出荷予定ロール確定処理のフローのステップ（Ｔ１０）でソートした出荷可能ロール（表６）の順番に従い、順次出荷可能ロールを受注番号に割当て行く（受注番号に対する出荷割当済み数量Ｃを積算していく）（Ｄ４）。先ず表６のロール番号ＡＢＣ０００６の仕上がり予定数量２０００ｍが割当られ、この時点で出荷割当済み数量Ｃは２０００ｍとなる。
【００６０】
次に出荷割当済み数量Ｃが出荷残数量より少ない場合は（Ｄ５のＮＯ）（現時点で受注数量、即ち出荷残数量は５０００ｍであり、また割当済み数量が上記２０００ｍであるので、ソート順に１を加えて２（Ｄ６）とし、再びステップ（Ｄ３）に移行し、（この場合は未だソート順ＬがＮに達していないので）ソート順２のロール番号ＡＢＣ０００３の仕上げ予定数量２０００ｍを割当済み数量に加える。その結果、この時点で割当済み数量は２０００ｍ＋２０００ｍ＝４０００ｍとなるが、出荷残数量の５０００ｍに達していないので、ソート順に１を加えて３（Ｄ６）とし、更にステップ（Ｄ３）に移行し、次のソート順３のロール番号ＡＢＣ０００５の仕上げ予定数量２５００を割当済み数量に加える。この時点では、出荷割当済み数量Ｃが上記４０００ｍ＋２５００ｍ＝６５００ｍであり、出荷残数量５０００ｍを超えるため（Ｄ５のＹＥＳ）、次のステップ（Ｄ７）に移行する。
【００６１】
ステップ（Ｄ７）では出荷残数量と出荷割当済み数量Ｃを比較し、出荷割当済み数量Ｃと出荷算数量が同じ場合（Ｄ７のＹＥＳ）には、直ちに終了する（Ｄ１４）。例えば上記ソート順３のロール番号ＡＢＣ０００５の仕上げ予定数量が１０００ｍの場合は出荷割当
済み数量Ｃと出荷算数量が同じになる。
【００６２】
一方、上記のように出荷割当済み数量Ｃが６５００ｍで、出荷残数量５０００ｍを超えた場合には（Ｄ７のＮＯ）、ステップ（Ｄ８）以降の分割処理に移行する。ステップ（Ｄ８）はロールを分割する処理である。即ち、対象受注番号（この場合はＡ０００３）の出荷残数（５０００ｍ）を出荷割当済み数量Ｃが超えた場合は、ロールの分割を行い、余分な出荷が無いようにするため、ステップ（Ｄ８）に移行する。
【００６３】
ステップ（Ｄ８）では、出荷対象となる分割数量Ｖ＝出荷残数量−（Ｃ−１）が計算される。即ち表６のロール番号ＡＢＣ０００５の場合は出荷対象となる分割数量Ｖ（分割数量とは、分割して出荷ロールに割当られる数量を指す）は、５０００ｍ−４０００ｍ＝１０００ｍと計算される。従って分割された残りの数量Ｒ（出荷しないで分割して残しておく数量を指す）は、Ｒ＝ロールの仕上り予定数量−Ｖ  であり、この場合のＲは  ２５００ｍ−１０００ｍ＝１５００ｍ  となる。このようにして表７に示すように受注番号（この場合はＡ０００３）の出荷残数の５０００ｍには、ロール番号ＡＢＣ０００６の２０００ｍと、ＡＢＣ０００３の２０００ｍと、ＡＢＣ０００５を分割した一方のＡＢＣ０００５−１の１０００ｍが割り当てられる。
【００６４】
【表７】
2013050870.tif 000009
【００６５】
更に次のステップ（Ｄ９）では、出荷可能ロール長と分割数量Ｖを比較する（Ｄ９）。上記の場合は、ステップ（Ｄ８）で分割された数量Ｖが１０００ｍで、対象受注番号の出荷可能ロール長１０００ｍと等しい（Ｄ９のＮＯ）ので、ステップ（Ｄ１１）に移行する。
【００６６】
ステップ（Ｄ１１）では、同一品種の最低出荷可能ロール長Ｍを探索する。この場合（表３）の同一品種の最低出荷可能ロール長ＭはＡ０００１の１０００ｍである。
【００６７】
次のステップ（Ｄ１２）では、分割した残りの数量Ｒ（この場合は１５００ｍ）と同一品種の最低出荷可能ロール長Ｍ（この場合は１０００ｍ）を比較し、分割した残りの数量Ｒが最低出荷可能ロール長Ｍより大きく（Ｄ１２のＹＥＳ）、言い換えれば分割した残りの数量１０００ｍは他の受注番号に割り当てることが出来るため、次のステップ（Ｄ１３）に進む。即ち、ＡＢＣ０００５の２５００ｍのロールを分割数量Ｖを１０００ｍ、分割した残りの数量Ｒを１５００ｍに分割し（Ｄ１３）、終了する（Ｄ１４）。表７のように分割されたロールの番号は、この場合、例えばＡＢＣ０００５−１及びＡＢＣ０００５−２のように枝番が付与される。
【００６８】
一方、ステップ（Ｄ９）で分割された数量Ｖが対象受注番号の出荷可能ロール長より短い場合（Ｄ９のＹＥＳ）は、分割されたロールを出荷できないため、次のステップ（Ｄ１０）に進む。ステップ（Ｄ１０）では、分割数量Ｖの補正を行う。このような場合は、例えば、受注情報ソート例−その２の表８のような場合に、ソート順位１位の受注番号Ａ０００３の受注数量５０００ｍで出荷可能ロール長が６００ｍに対してロールの割当てを行う場合に、出荷可能ロールソート例―その２の表９のような場合には、先ずソート順１のロール番号ＡＢＣ０００６の２０００ｍと、次にソート順２のロール番号ＡＢＣ０００３の２５００ｍが割当られる。更に受注数量５０００ｍに対して不足している５００ｍを割当るためにソート順位３のロール番号ＡＢＣ０００５の８００ｍを５００ｍと３００ｍに分割して、５００ｍを割当れば、受注数量５０００ｍを満足させることが出来る。しかしこの場合には出荷可能ロール長が６００ｍであるので５００ｍに分割したロールを出荷することが出来ないため、次のステップ（Ｄ１０）に進む。
【００６９】
【表８】
2013050870.tif 000010
【００７０】
【表９】
2013050870.tif 000011
【００７１】
ステップ（Ｄ１０）では、分割数量Ｖの補正を行う。即ち、分割数量Ｖを出荷可能ロール長（この場合は６００ｍ）とし、また分割残数量Ｒ＝仕上がり予定数量−Ｖ  （この場合の分割残数量Ｒは８００ｍ−６００ｍ＝２００ｍ）とした後（Ｄ１０）、同一品種の最低出荷可能ロール長Ｍを探索する（Ｄ１１）。この場合は表３の受注番号Ａ００１の５００ｍが最低出荷可能ロール長に該当する。
【００７２】
次のステップ（Ｄ１２）では、分割された残りの数量Ｒ（この場合、Ｒ＝２００ｍ）と、同一品種の最低出荷可能ロール長Ｍ（この場合、Ｍ＝５００ｍ）を比較し、分割された残りの数量Ｒが同一品種の最低出荷可能ロール長Ｍより短く（Ｄ１２のＮＯ）、この場合は分割された残りの数量Ｒ＝２００ｍは他の受注に対しても出荷できないので、分割せずに８００ｍのままで割当てた後、終了する（Ｄ１４）。
【００７３】
このようにロールを分割する場合には、分割したロール数量Ｖが出荷可能ロール長より長く（または等しい）、しかも、分割した残りの数量Ｒが最低出荷可能ロール長Ｍより大きい場合は分割し、短い場合は分割せずに受注数量より長いｍ数を割り当てる。このようにすることによって、不良発生等の理由で当初の受注数量に対して、製品数量が足りないケースであっても、複数の受注間（同一品種間のみ）で製品を融通することが出来る。
【００７４】
上記図９の出荷可能ロール割当処理のフロー中、ステップ（Ｄ３）でＮＯの場合はロールが出荷算数量を満足出来ないケースで、数量の割当が出来ないまま終了する（Ｄ１４）。この場合には出荷不足情報が記録される。即ち、割当てた数量の合計が、受注数量より少ない場合は、
（１）不足数量（受注数量−割当済数量）を「出荷不足情報ＤＢ」に書き込む。
（２）不足数量（受注数量−割当済数量）が、該当受注物件の出荷可能ロール長より短ければ、出荷可能ロール長を不足予定数量にする。書き込み例を表１０に示す。
【００７５】
【表１０】
2013050870.tif 000012
【００７６】
図１０に出庫指示、分割指示のフローを示す。上記図９に示す出荷可能ロール割当処理が終了した後（Ｕ１）に、「受注情報ＤＢ」の“出荷残数量”を変更し、更に「出荷情報ＤＢ」の出荷対象ロールの“出荷済みフラグ”を１と変更する（Ｕ２）。出荷ロール割当処理を終了する（Ｕ３）。次にロール分割の有無を判断し、ロール分割が有る場合は（Ｕ４のＹＥＳ）、出荷確定したロールに対して出荷対象ロール出庫指示とロール分割指示を合わせて行い（Ｕ５）、直ちに終了する（Ｕ７）。ロール分割が無い場合は（Ｕ４のＮＯ）、出荷確定したロールに対して出荷対象ロール出庫指示を行い（Ｕ６）、終了する（７）。
【００７７】
上記では、長尺フィルムとして光学機能性フィルムを例示したが、本発明の出荷管理システムは、これに限定されず、他の長尺フィルムにも広く適用することが出来る。
【００７８】
以上のように本発明の出荷管理システムによれば、不良発生等で当初の受注数量に対して、製品数量が足りなくなった場合であっても、同一品種であれば複数の受注間で製品の融通を可能とし、また、追加で必要な生産数量を把握することが可能となる。その結果、無駄な出荷を削減することが出来る。
【符号の説明】
【００７９】
１・・・フィルム（基材）
２・・・ハードコート層
３・・・反射防止層
１０１・・・処理用パソコン
１０２・・・生産実績ＤＢ
【図１】
2013050870.tif 000013
【図２】
2013050870.tif 000014
【図３】
2013050870.tif 000015
【図４】
2013050870.tif 000016
【図６】
2013050870.tif 000017
【図７】
2013050870.tif 000018
【図８】
2013050870.tif 000019
【図９】
2013050870.tif 000020
【図１０】
2013050870.tif 000021
【図５】
2013050870.tif 000022